【事件の表示】
　特願２０１４−５１３５８３「分解能トレードオフおよび最適化を実装するビデオ圧縮」拒絶査定不服審判事件〔平成２４年１２月　６日国際公開，ＷＯ２０１２／１６６５１２，平成２６年　９月　４日国内公表，特表２０１４−５２２６００〕について，次のとおり審決する。
【結　論】
　本件審判の請求は，成り立たない。
【理　由】
１　手続の経緯
　本願は，２０１２年（平成２４年）５月２４日（パリ条約による優先権主張外国庁受理２０１１年５月３１日　米国）を国際出願日とする出願であって，その手続の経緯は，以下のとおりである。
　平成２６年１２月２６日付け：拒絶理由通知
　平成２７年　４月　２日　　：手続補正
　平成２７年　８月１２日付け：拒絶査定
　平成２７年　８月１８日　　：拒絶査定の謄本の送達
　平成２７年１２月１０日　　：拒絶査定不服審判の請求
　平成２７年１２月１０日　　：手続補正
２　本願発明
ア　拒絶査定不服審判の請求と同時になされた平成２７年１２月１０日付けの手続補正は，明細書の段落【０１４７】における「ビットレート」との記載を，「ビット・レート」に正すものである。当該補正は，明細書中の記載についての，単なる誤記の訂正であり，特許法第１７条の２第３項の規定に適合する，適法な手続補正である。
イ　特許請求の範囲の請求項１に係る発明（以下「本願発明」という。）は，平成２７年１２月１０日付け手続補正後の明細書，特許請求の範囲及び図面の記載からみて，その特許請求の範囲の請求項１に記載された以下のとおりのものと認める。
　なお，下記のとおり，説明のために（Ａ）から（Ｅ）までの記号を当審において付与した。以下，構成要件Ａ，構成要件Ｂなどと称することとする。
「【請求項１】
（Ａ）入力ビデオの圧縮された表現を生成するビデオ圧縮方法であって：
（Ｂ）（ａ）入力ビデオを時間的にパルスに分割する段階であって，各パルスは入力ビデオの少なくとも二つのフレームを含む，段階と，
（Ｃ）各パルスのあるフレームのある空間的なパーティションの各領域について，少なくとも二つの異なる候補ブレンド・ピクセル・セットを生成する段階であって，該候補ブレンド・ピクセル・セットの少なくとも一つは入力ビデオの少なくとも二つのフレームから決定された時間的にブレンドされたピクセルおよび入力ビデオの少なくとも二つのフレームから決定された時間的および空間的にブレンドされたピクセルのうち少なくとも一つを含む，段階と；
（Ｄ）（ｂ）各パルスについての空間的なパーティションの前記各領域について，前記候補ブレンド・ピクセル・セットの一つを，圧縮された表現に含めるために選択する段階とを含む，
（Ｅ）方法。」
３　引用発明
（１）引用例１の記載及び引用発明
（１−１）引用例１の記載
　原審の平成２６年１２月２６日付けの拒絶理由に引用された，特開２００５−１９８２６８号公報（以下「引用例１」という。）には，「動画像変換装置および方法，並びに動画像データフォーマット」（発明の名称）として，図面とともに以下の事項が記載されている。
ア　「【発明の詳細な説明】
【技術分野】
【０００１】
　本発明は，動画像変換装置および方法，並びに動画像データフォーマットに関し，特に，
動画のデータ量を適切に削減することができるようにした動画像変換装置および方法，並びに動画像データフォーマットに関する
イ　「【００４７】
　
本発明の動画像変換方法は，領域毎の移動速度に基づきフレームレートと，空間解像度を決定する決定ステップ（例えば，図３６のステップＳ３，Ｓ５）と，フレームレートと空間解像度にしたがって画像データを変換する変換ステップ（例えば，図３６のステップＳ４，Ｓ６，Ｓ７）とを有する
【００４８】
　フレームレートは，移動速度に基づき少なくとも２段階に設定され（例えば，入力時のフレームレートと，その１／４のフレームレート），移動速度が速い領域では高フレームレートに，移動速度が遅い領域では低フレームレートに設定されるようにすることができる。
【００４９】
　空間解像度は，移動速度に基づき少なくとも２段階に設定され（例えば，入力時の空間解像度と，その１／４の解像度），移動速度が速い領域では低空間解像度に設定され，移動速度が遅い領域では高空間解像度に設定されるようにすることができる。
【００５０】
　変換ステップは，移動速度が速い領域では空間方向の圧縮処理（例えば，図３６のステップＳ４の処理）を，移動速度が遅い領域では時間方向の圧縮処理（例えば，図３６のステップＳ６の処理）を行うことができる。
【００５１】
　変換ステップは，移動速度に応じて空間方向の圧縮処理と時間方向の圧縮処理を同時に行うことができる（例えば，図３６のステップＳ７の処理）。
【００５２】
　空間方向の圧縮処理は，画素数の間引き処理とすることができる（例えば，図３６のステップＳ４の処理）。
【００５３】
　時間方向の圧縮処理は，フレームの間引き処理とすることができる（例えば，図３６のステップＳ６の処理）。」
ウ　「【０１１５】
　（略）動画像の領域が高速で移動し，かつ動画像が高フレームレートであったときには，その領域の空間解像度を削減しても，超解像度効果により，観測者にその画質劣化を知覚させないようにすることができる。
【０１１６】
　なおこのように表示画像フレームレートを高くすることは超解像度効果を得るのに有利となるが，表示画像フレームレートを高くすれば，その他，動きぼけやジャーキネス等の画質劣化を改善することにも有利となる。
【０１１７】
　次に，本発明を適用した動画像変換装置１の構成例を，図１８を参照して説明する。
この動画像変換装置１は，
動画像変換処理を行うことにより，データ量の削減による画質劣化を観測者が知覚しないようにデータ量を削減することができる。
【０１１８】
ブロック分割部１１は，入力された動画像の各フレームをブロックに分割し，
【０１１９】
　移動量検出部１２は，ブロック分割部１１から供給された各ブロックについての移動量を検出し，ブロックとその移動量を，ブロック処理部１３に送信する。
【０１２０】
　
ブロック処理部１３は，移動量検出部１２から供給されたブロックに対して，その移動量に応じた動画像変換処理を施し，データ量を削減する。
【０１２１】
　
出力部１４は，ブロック処理部１３から供給された，データ量が削減されたブロックについてのデータを，ストリームデータとしてまとめて出力する。
【０１２２】
　次に，図１９を参照して，各部の詳細を説明する。
【０１２３】
　はじめにブロック分割部１１について説明する。
【０１２４】
　
ブロック分割部１１の画像蓄積部２１には，動画像変換装置１に供給された動画像のフレームが入力される。
画像蓄積部２１は，蓄積したフレームの数がＮ枚（Ｎは正の整数）になる度に，そのＮ枚のフレームを，ブロック分割部２２に供給する
なおこの例の場合Ｎ＝４とする。
【０１２５】
　
ブロック分割部２２は，画像蓄積部２１から供給されたＮ枚のフレーム（連続するＮ枚のフレーム）のそれぞれを，ある大きさ(例えば８×８，１６×１６)のブロックに分割し，
（ブロック分配部３２）に出力する。
【０１４３】
　すなわち
ブロック分配部３２は，移動量検出部２１から供給された移動量に基づき，
ブロック処理部５１に，ブロック画像を分配する。
【０１４４】
　なお，分配先決定のためのこの条件はあくまでも一例であり，他の条件で分配先を決定してもよい。
【０１４５】
　次にブロック処理部１３について説明する。
ブロック処理部１３は，
３個のブロック処理部５１−１乃至５１−３で構成されている。
【０１４６】
　
ブロック処理部５１−１は，
ブロック分配部３２から供給された，連続するＮ枚のフレームのそれぞれの同一位置にある合計Ｎ個のブロック（水平方向または垂直方向の移動量が２ピクセル以上である場合のＮ個のブロック）に対して，画素数を，
間引く処理（空間方向間引き処理）を行う。
【０１４７】
　具体的には，１フレーム間の水平方向の移動量が２ピクセル以上である場合，ブロック処理部５１−１は，
ブロックが８×８ピクセルで構成されているとき，
１×４ピクセル単位の集合に分割する。
【０１４８】
　そしてブロック処理部５１−１は，図２３に示すように，
１×４ピクセルの各集合の画素値ｐ１乃至ｐ４を，その中の１つの画素値（この例の場合，ｐ１）にする画素数の間引き（４画素間の画素数の間引き）（間引き量４の間引き）を行う。
【０１５４】
　また，各集合の画素値を，図２３の例では，１×４ピクセルの中の左端の画素値ｐ１，図２５の例では，４×１ピクセルの中の上端の画素値ｐ１，図２７の例では，２×２ピクセルの中の左上隅の画素値ｐ１にしたが，ｐ１乃至ｐ４のいずれの画素値にしてもよい。
またｐ１乃至ｐ４を用いた計算によって新たに得られる画素値にすることもできる。
【０１５５】
　さらに，この例では，画素数の間引きによって空間方向の圧縮を行ったが，フィルタリングによる空間方向の帯域制限を行っても構わない。
【０１５６】
　図１９に戻り
ブロック処理部５１−２は，
ブロック分配部３２から供給された，連続するＮ枚のフレームのそれぞれの同一位置ある合計Ｎブロック（水平方向と垂直方向の移動量がともに１ピクセル未満である場合のＮ個のブロック）に対して，フレーム数を間引く処理（時間方向間引き処理）を行う。
【０１５７】
　具体的にはブロック処理部５１−２は，図２８に示すように，
連続する４枚のフレームＦ１乃至Ｆ４のそれぞれの同一位置ある４個のブロックＢiを，その中の１つのブロック
にするフレーム数の間引き
を行う。
【０１５８】
　ブロック処理部５１−２は，このような時間方向間引き処理により，データ量が１／４に削減された４個のブロックについてのデータ（１個のブロック）を，出力部１４に供給する。なお，ここでは，Ｎ＝４の場合を例として説明したが，Ｎが他の値であっても同様な処理が行われる。
【０１５９】
　この例の場合，図２８に示すように，４個のフレームＦ１乃至Ｆ４のそれぞれのブロックＢiのうち，フレームＦ１のブロックＢiが出力されたが，他のフレームのブロックが出力されるようにしてもよい。
またフレームＦ１乃至Ｆ４を用いた演算によって新たに得られたブロックが出力されるようにしてもよい。
【０１６０】
　
ブロック処理部５１−３は，
ブロック分配部３２から供給された，連続するＮ枚のフレームのそれぞれの同一位置ある合計Ｎ個のブロック（水平方向と垂直方向の移動量が１ピクセル以上で，２ピクセル未満である場合のＮ個のブロック）に対して，画素数の間引き処理（空間方向間引き処理）とフレーム数の間引き処理（時間方向間引き処理）をそれぞれ行う。
【０１６１】
　ブロック処理部５１−３の動作を，具体的に説明する。
【０１６２】
　この場合ブロック処理部５１−３に供給されるブロックの移動速度は，間引き量＝４における超解像度効果を得るための条件を満たさない。したがって画素数の間引き処理（水平方向および垂直方向の間引き処理）において，ブロック処理部５１−３は，ブロック処理部５１−１における間引き処理とは異なり，図２９および図３０に示すように，各集合の画素値ｐ１乃至ｐ４を，その中のいずれか２個の画素値（この例の場合，ｐ１，ｐ３）にする画素数の間引き（２画素間の画素数の間引き）（間引き量２の間引き）を行う。
【０１６３】
　すなわちブロック処理部５１−１では，１×４，４×１，または２×２の３通りの画素数の間引きが行われるが，ブロック処理部５１−３では，１×２または２×１の２通りの画素数の間引きが行われる。
【０１６４】
　フレーム数の間引き処理においては，ブロック処理部５１−３は，ブロック処理部５１−２における間引き処理と異なり，図３１に示すように，連続する４枚のフレームＦ１乃至Ｆ４のぞれぞれの同一位置にある合計４個のブロックＢiを，その中のいずれか２つ（いまの場合，フレームＦ１，Ｆ３の２個のブロック）にするフレーム数の間引きを行う（２フレーム間のフレーム数の間引き）を行う。
【０１６５】
　ブロック処理部５１−３は，このような空間方向間引き処理と時間方向間引き処理を，供給された４個のブロックに対して施すので，４個のブロックのデータ量が１／４に削減される。ブロック処理部５１−３は，データ量が１／４に削減された４個のブロックについてのデータを，出力部１４に供給する。
【０１６６】
　なお空間方向間引きと時間方向間引きの順序は，いずれが先に行われても同一の結果が得られるので，どちらを先に行ってもよい。」
エ　「【０１８１】
　次に，動画像変換装置１の移動量検出部１２およびブロック処理部１３の動作を，図３６のフローチャートを参照して説明する。
【０１８２】
　ステップＳ１において，移動量検出部１２の移動量検出部３１は，ブロック分割部１１のブロック分割部２２から，動画像変換装置１に連続して入力された４枚のフレームの中のＰ番目のフレームの各ブロック（検索対象ブロック）の供給と，画像蓄積部２１から，Ｍ番目のフレーム（参照フレーム）の供給を受け，それを入力する。
【０１８３】
　次に，ステップＳ２において，移動量検出部３１は，Ｐ番目のフレームのブロックの中の１つを検索対象ブロックとするとともに，その検索対象ブロックの動きベクトルを，参照フレームを参照して検出する。移動量検出部３１は，検出した動きベクトルをブロック分配部３２に供給する。
【０１８４】
　
ステップＳ３において，ブロック分配部３２は，
（１フレーム間のＸ軸方向またはＹ軸方向の移動量）が，２ピクセル以上であるか否かを判定し，少なくとも一方の移動量が２ピクセル以上であると判定した場合，ステップＳ４に進む。
【０１８５】
　
ステップＳ４において，
ブロック処理部５１−１は，
画素数を１／４にする間引き処理（４画素間の画素数の間引き処理）を施し，その結果得られた，データ量が１／４に削減された４個のブロックについてのデータを，出力部１４に供給する。
【０１８６】
　
ステップＳ３で，いずれの移動量も２ピクセル以上ではないと判定された場合，ステップＳ５に進み，ブロック分配部３２は，Ｘ軸方向とＹ軸方向の移動量がともに１ピクセル未満であるか否かを判定し，ともに１ピクセル未満であると判定した場合，ステップＳ６に進む。
【０１８７】
　
ステップＳ６において，
ブロック処理部５１−２は，
フレーム数を１／４にする間引き処理（４フレーム間のフレーム数の間引き処理）を施し，その結果得られた，データ量が１／４に削減された４個のブロックについてのデータ（１個のブロック）を，出力部１４に供給する。
【０１８８】
　
ステップＳ５で，Ｘ軸方向およびＹ軸方向の移動量がともに１ピクセル未満ではないと判定された場合（移動量が１ピクセル以上で，２ピクセル未満の場合），
ブロック処理部５１−３は，
画素数を１／２にする間引き処理（２画素間の画素数の間引き処理）と，フレーム数を１／２にする間引き処理（２フレーム間のフレーム数の間引き処理）を施し，その結果得られた，データ量が１／４に削減された４個のブロックについてのデータを，出力部１４に供給する。
【０１８９】
　
以上の処理が，ブロック分割部１１から４枚のフレームの各ブロックが供給される毎に行われる。
（１−２）引用発明
　上記（１−１）の摘記事項アからエまでの記載及び関連する図面並びにこの分野の技術常識を考慮して引用例１の記載を検討する。
（ア）　上記アには，引用例１に記載された発明が，動画のデータ量を適切に削減することができる動画像変換方法及び動画像変換装置に関するものであることについて記載されている。
　上記イには，前記動画像変換方法の変換ステップにおいて，移動速度が速い領域では空間方向の圧縮処理を行い，移動速度が遅い領域では時間方向の圧縮処理を行うことについて記載されている。
　上記ウには，動画像変換装置において，入力された動画像に対し，動画像変換処理がなされた後，データ量が削減されたデータが，ストリームデータとして出力部１４から出力されることについて記載されている。
　以上の記載を踏まえれば，引用例１には，『動画像変換装置に入力された動画像に，圧縮処理をしたデータを，ストリームデータとして出力する動画像変換方法』が記載されているといえる。
（イ）　上記ウには，前記動画像変換方法を行う動画像変換装置１において，動画像のフレームが画像蓄積部２１に蓄積されること，及び当該画像蓄積部２１が，蓄積したフレームの数が４枚になるたびに，各フレームをある大きさ（例えば８×８，１６×１６）のブロックに分割するブロック分割部２２に，この４枚のフレームを供給することについて記載されている。
　以上の記載を踏まえれば，引用例１には，『前記入力された動画像を，前記動画像変換装置の画像蓄積部に蓄積し，蓄積したフレームが４枚になるたびに，この４枚のフレームを前記動画像変換装置のブロック分割部に供給』することが記載されているといえる。
（ウ）　上記ウには，動画像変換装置１において，ブロック分割部２２が，分割したブロックを，ブロック分配部３２に出力し，ブロック分配部３２が，ブロック処理部１３にブロック画像を分配することについて記載されている。
　上記ウ及びエには，ブロック処理部１３が，３個のブロック処理部５１−１ないし５１−３で構成され，連続する４枚のフレームのそれぞれの同一位置にある４個のブロックに対し，ブロック処理部５１−１は，画素数を間引く空間方向の処理を行い，ブロック５１−２は，フレーム数を間引く時間方向の処理を行い，ブロック５１−３は，前記空間方向の処理と前記時間方向の処理をそれぞれ行うことについて記載されている。ここで，上記ウの摘記中，段落【０１５４】には，前記空間方向の処理について，画素数を間引く処理ではなく，複数の画素の画素値について，当該複数の画素の画素値を用いた計算によって新たに得られる画素値とする処理でもよいことが記載されている。また，上記ウの摘記中，段落【０１５９】には，前記時間方向の処理について，フレーム数を間引く処理ではなく，複数のフレームを用いた演算によって新たに得られたブロックが出力される処理でもよいことが記載されている。
　以上の記載を踏まえれば，引用例１には，『前記ブロック分割部で分割された各ブロックについて，（ｉ）ブロックを構成する複数のピクセルの画素値を用いた計算により新たな画素値を得る，ブロック処理部５１−１での空間方向の処理，（ｉｉ）複数のフレームを用いた演算により新たにブロックを得る，ブロック処理部５１−２での時間方向の処理，及び（ｉｉｉ）前記空間方向の処理と前記時間方向の処理をそれぞれ行うブロック処理部５１−３での処理，のいずれかを行』うことが記載されているといえる。
（エ）　上記ウ及びエには，上記（ウ）で示した処理を行う，ブロック５１−１ないし５１−３のいずれかに，ブロック画像を分配するブロック分配部３２が，１フレーム間の移動量に基づき，分配先を決定することについて記載されている。
　上記エには，ブロック５１−１ないし５１−３で処理されたデータが出力部１４に供給されること，及びブロック分割部１１から４枚のフレームの各ブロックが供給されるごとに，前記処理が行われることについて記載されている。
　以上の記載を踏まえれば，引用例１には，『前記各ブロックについて，前記（ｉ）ないし（ｉｉｉ）のいずれの処理をして出力するかを，移動量に基づき決定する』ことが記載されているといえる。
（オ）　まとめ
　以上によれば，引用例１には，次の発明（以下「引用発明」という。）が開示されている。以下，引用発明の各構成要件を，付与した符号を用い，構成要件１ａ，構成要件１ｂなどと称することとする。
（引用発明）
「（１ａ）動画像変換装置に入力された動画像に，圧縮処理をしたデータを，ストリームデータとして出力する動画像変換方法であって，
（１ｂ）前記入力された動画像を，前記動画像変換装置の画像蓄積部に蓄積し，蓄積したフレームが４枚になるたびに，この４枚のフレームを前記動画像変換装置のブロック分割部に供給し，
（１ｃ）前記ブロック分割部で分割された各ブロックについて，（ｉ）ブロックを構成する複数のピクセルの画素値を用いた計算により新たな画素値を得る，ブロック処理部５１−１での空間方向の処理，（ｉｉ）複数のフレームを用いた演算により新たにブロックを得る，ブロック処理部５１−２での時間方向の処理，及び（ｉｉｉ）前記空間方向の処理と前記時間方向の処理をそれぞれ行うブロック処理部５１−３での処理，のいずれかを行い，
（１ｄ）前記各ブロックについて，前記（ｉ）ないし（ｉｉｉ）のいずれの処理をして出力するかを，移動量に基づき決定する，
（１ｅ）方法。」
（２）引用例２及び３の記載及び周知技術
（２−１）引用例２の記載
　特開平１−２３６８７７号公報（以下「引用例２」という。）には，「ビデオ信号処理方法および装置」（発明の名称）として，図面とともに以下の事項が記載されている。
「本発明はビデオ信号を有するテレビジョン信号を，伝送チャネルまたは記録チャネルによって伝送または記録する方法であって，ビデオ信号に加えることのできる複数の処理行程の中より１つの処理工程を選択して，これを加えて
ビデオ信号が空間的あるいは時間的に互いに異なる解像度を生ずる如くして伝送チャネルに供給しうるテレビジョン信号を形成する工程を含んでなる高精細度（高品位）テレビジョン信号の伝送または記録方法に関するものである。
「以下の説明においては
各画像は
ブロックに分割したものと考え，この場合，
ディジタル情報は各ブロックにおいてその中に含まれている動きまたはその速度の特性に関するものである。
　
信号が１２５０ライン，２５ＭＨｚ高解像度テレビジョン　カメラより導出されたものであり，伝送チャネルが６２５ライン，６ＭＨｚ帯域幅である場合の伝送系においては全体の圧縮比が４：１であることが要求される。高解像度信号をサンプルしてこれを伝送させるシステムは次の例に示す如く時間的および空間的解像度のディスカードするものの値において互いに妥協する点を見出さなければならない。
システム周期　時間的圧縮　空間的圧縮
　８０ｍｓ　　　４：１　　　１：１
　４０ｍｓ　　　２：１　　　２：１
　２０ｍｓ　　　１：１　　　４：１
　
すなわち，それぞれ異なる速度範囲に対しいくつかの異なるフィールド速度を用い，これは次の如くである。
　ｉ　
静止モード
　ｉｉ　
極く遅く動くモード
　ｉｉｉ　
移動モード
　
第２０図はこのような方式に使用する送信部の他の実施例をブロック図であり，参照番号１は入力端子でこれは高解像度テレビジョン　カメラより少なくとも輝度情報を受信する。これらの輝度情報を３つの並列回路辺２，３および４に供給し，これらはそれぞれ２０ｍｓ，４０ｍｓおよび３０ｍｓの回路辺
　
入力端子１における輝度情報を第１および第２トランジェント　アダプティブ　モーション　ディテクタ８および９にも供給し，このディテクタの第１のもの（８）は検出されたモーションが０．５画素／５０ｍｓ以下の場合に出力を生じ，また第２のディテクタ（９）は検出されたモーションが２画素／４０ｍｓ以上の場合に出力を生ずる。
これらの出力を３レベル決定回路１２に供給して上述の３つの条件（ｉ）〜（ｉｉｉ）の１つに対応する出力を生ずる。
上述の基準に基づいてプロセスした信号の選択の制御を行う。
（２−２）引用例３の記載
　特表昭６４−５００２３６号公報（以下「引用例３」という。）には，「帯域巾圧縮のためのビデオ信号処理装置」（発明の名称）として，図面とともに以下の事項が記載されている。
「（発明の名称）
　
帯域巾圧縮のためのビデオ信号処理装置
　
本発明は，伝送（あるいは記録）される信号の帯域中巾の圧縮（減少）を可能にする方法に関する。
「運動適応帯域中圧縮方式を研究するために，あるハードウェアが最近構築された（文献１参照），この装置は，入力するモノクロームの６２５ラインのテレビジョン信号を２つの異なる方法でフィルタする２つのディジタル・フィルタを含み，
１つは画像の運動領域に最適であり（空間フィルタ），また１つは静止画像領域に最適な（時間的フィルタ）ものである。両方のタイプのフィルタが帯域中を因数４で圧縮
「
運動領域においては，
低空間デテール・フィルタからの出力は画像の比較的良好な表示を生じる。
「
ハードウェアは，２つの送信方法のどれがブロック方式において最も適するかを選択する
「
どの伝送モードが各ブロックに対して最も適当なものであるかを選定する
　
各伝送ブロック毎に，元の信号と「低」と「高」の空間精細モードの双方を通った後の信号との間の差の絶対値が計算される。
最も小さな誤差を生じる方法を用いてブロックを伝送する。
（２−３）引用例２，３記載の技術事項及び周知技術
　上記（２−１）及び（２−２）の摘記事項及び関連する図面並びにこの分野の技術常識を考慮すると，引用例２，３には，それぞれ，以下の技術事項が記載されているといえる。
（引用例２記載の技術事項）
「伝送するビデオ信号について，空間的あるいは時間的に互いに異なる解像度を生じる３つの回路に供給し，モーション　ディテクタの検出結果に基づいて，前記３つの回路の出力のいずれかの出力を選択する制御を行うこと。」
（引用例３記載の技術事項）
「ビデオ信号を，画像の運動領域に最適な低空間精細モードと，静止画像領域に最適な高空間精細モードの双方に通し，通す前と後の差の絶対値を計算して最も小さな誤差を生じる方を用いて伝送すること。」
　ここで，引用例２における，「ビデオ信号について，空間的あるいは時間的に互いに異なる解像度を生じる３つの回路に供給」すること，及び引用例３における，「ビデオ信号を，画像の運動領域に最適な低空間精細モードと，静止画像領域に最適な高空間精細モードの双方を通」すことは，ともに，「ビデオ信号に対し，互いに異なる解像度の複数の処理を行ってお」くことといえる。
　また，引用例２における「モーション　ディテクタの検出結果に基づいて，前記３つの回路の出力のいずれかの出力を選択する制御を行う」こと，及び引用例３における，二つのモードを「通す前と後の差の絶対値を計算して最も小さな誤差を生じる方を用い」ることは，ともに，行った複数の処理に対し，移動量との関係で「適切な方の処理を選択」することといえる。
　そうすると，引用例２，３には，以下の周知技術が開示されているといえる。
（周知技術）
「ビデオ信号に対し，互いに異なる解像度の複数の処理を行っておき，適切な方の処理を選択して伝送すること。」
４　対比
　本願発明と引用発明とを対比する。
（１）本願発明の構成要件Ａと引用発明の構成要件１ａとの対比
　引用発明の「動画像変換装置に入力された動画像」は，本願発明の「入力ビデオ」に相当する。
　引用発明における，入力された動画像に「圧縮処理をしたデータを，ストリームデータとして出力する」ということは，当該出力に当たり，入力された動画像の「圧縮された表現を生成」しているといえる。
　また，引用発明の「動画像変換方法」は，そのような圧縮の処理を行うのであるから，「ビデオ圧縮方法」ということができる。
　よって，引用発明の構成要件１ａ「動画像変換装置に入力された動画像に圧縮処理をしたデータをストリームデータとして出力する動画像変換方法であって，」は，本願発明の構成要件Ａ「入力ビデオの圧縮された表現を生成するビデオ圧縮方法であって：」に相当するといえる。
（２）本願発明の構成要件Ｂと引用発明の構成要件１ｂとの対比
　引用発明の「前記入力された動画像」は，上記（１）の検討により，「入力ビデオ」といえる。
　引用発明において，前記入力された動画像を，「前記動画像変換装置の画像蓄積部に蓄積し，蓄積したフレームが４枚になるたびに，この４枚のフレームを前記動画像変換装置のブロック分割部に供給」するということは，画像蓄積部がブロック分割部に画像のデータを供給する際に，時間的に連続する４枚のフレームを一つの単位にするとするということであるから，前記入力された動画像の，時間的に連続する多数のフレームを，「時間的に」４枚のフレームという単位で「分割する」ことといえる。そして，この４枚のフレームという単位は，連続する多数のフレームからすると，「パルス」と称することができ，各パルスは，４枚のフレームで構成されるのであるから，「各パルス」は，前記入力された動画像の「少なくとも二つのフレームを含む」といえる。
　よって，引用発明の構成要件１ｂ「前記入力された動画像を，前記動画像変換装置の画像蓄積部に蓄積し，蓄積したフレームが４枚になるたびに，この４枚のフレームを前記動画像変換装置のブロック分割部に供給し，」は，本願発明の構成要件Ｂ「（ａ）入力ビデオを時間的にパルスに分割する段階であって，各パルスは入力ビデオの少なくとも二つのフレームを含む，段階と，」に相当するといえる。
（３）本願発明の構成要件Ｃと引用発明の構成要件１ｃとの対比
　引用発明の「前記ブロック分割部で分割された各ブロック」は，フレームを空間的にある大きさ（例えば８×８，１６×１６）で分割したときの各領域であるから，本願発明の「各パルスのあるフレームのある空間的なパーティションの各領域」に相当する。
　次に，引用発明における，「（ｉ）ブロックを構成する複数のピクセルの画素値を用いた計算により新たな画素値を得る，ブロック処理部５１−１での空間方向の処理，（ｉｉ）複数のフレームを用いた演算により新たにブロックを得る，ブロック処理部５１−２での時間方向の処理，及び（ｉｉｉ）前記空間方向の処理と前記時間方向の処理をそれぞれ行うブロック処理部５１−３での処理，のいずれかを行」うことについてみると，まず，これらの（ｉ）ないし（ｉｉｉ）の処理単位であるブロックは，複数のピクセルから構成されているといえる。また，（ｉ）の処理は，ブロックを構成する複数の画素値を用いた計算により新たな画素値を得るのであるから，当該処理は，当該ブロックにおける複数の画素値について，空間的にブレンドするものといえ，（ｉｉ）の処理は，複数のフレームを用いた演算により，連続する複数のフレームのそれぞれの同一位置にある複数のブロックから，新たなブロックを得るのであるから，当該処理は，当該複数のブロックの複数の画素値について，時間的にブレンドするものといえる。したがって，引用発明において，前記（ｉ）ないし（ｉｉｉ）のいずれかの処理を行うということは，「ブレンド・ピクセル・セットを生成する」ことといえる。
　ここで，上記（ｉｉ）の処理は，本願発明の「入力ビデオ」に相当する「前記入力された動画像」の４つのフレームを用いて時間的にブレンドする処理であるから，「入力ビデオの少なくとも二つのフレームから決定された時間的にブレンドされたピクセル」を含むようにする処理といえる。また，上記（ｉｉｉ）の処理は，「前記入力された動画像」の４つのフレームを用いて時間的かつ空間的にブレンドする処理であるから，「入力ビデオの少なくとも二つのフレームから決定された時間的および空間的にブレンドされたピクセル」を含むようにする処理といえる。
　そうすると，引用発明において，前記（ｉ）ないし（ｉｉｉ）のいずれかの処理を行うということは，「ブレンド・ピクセル・セットの少なくとも一つ」が，前記「時間的にブレンドされたピクセル」並びに前記「時間的および空間的にブレンドされたピクセル」の「うち少なくとも一つを含」むということができる。
　よって，引用発明の構成要件１ｃと，本願発明の構成要件Ｃとは，「各パルスのあるフレームのある空間的なパーティションの各領域について，ブレンド・ピクセル・セットを生成する段階であって，該ブレンド・ピクセル・セットの少なくとも一つは入力ビデオの少なくとも二つのフレームから決定された時間的にブレンドされたピクセルおよび入力ビデオの少なくとも二つのフレームから決定された時間的および空間的にブレンドされたピクセルのうち少なくとも一つを含む，段階」を備える点で共通する。
　しかしながら，引用発明の構成要件１ｃと，本願発明の構成要件Ｃとは，ブレンド・ピクセル・セットの生成について，本願発明では，各領域に対し，「少なくとも二つの異なる候補」ブレンド・ピクセル・セットを生成するのに対し，引用発明では，異なるブレンド・ピクセル・セットを生成する処理のいずれを行うかを，事前に選択しているために，各ブロックに対し，一つのブレンド・ピクセル・セットが生成され，また，それゆえ，このブレンド・ピクセル・セットを「候補」ブレンド・ピクセル・セットということもできない点で相違する。
（４）本願発明の構成要件Ｄと引用発明の構成要件１ｄとの対比
　引用発明の「前記各ブロック」は，上記（３）の検討を踏まえると，本願発明の「各パルスについての空間的なパーティションの前記各領域」に相当するといえる。
　引用発明における，「前記（ｉ）ないし（ｉｉｉ）のいずれの処理をして出力するかを，移動量に基づき決定する，」ことについてみると，前記（ｉ）ないし（ｉｉｉ）のいずれかの処理がなされたブロックは，上記（３）の検討を踏まえると，「ブレンド・ピクセル・セット」といえ，これを出力するということは，上記（１）の検討を踏まえると，「圧縮された表現に含め」ることとといえる。
　よって，引用発明の構成要件１ｄと，本願発明の構成要件Ｄとは，「（ｂ）各パルスについての空間的なパーティションの前記各領域について，前記ブレンド・ピクセル・セットを，圧縮された表現に含める段階とを含む」点で共通する。
　しかしながら，引用発明の構成要件１ｄと，本願発明の構成要件Ｄとは，ブレンド・ピクセル・セットを圧縮された表現に含めるに当たり，本願発明では，生成された複数の「候補」ブレンド・ピクセル・セット「の一つ」を「選択する」のに対し，引用発明では，異なるブレンド・ピクセル・セットを生成する処理のいずれを行うかを，事前に選択しているために，各ブロックに対し，生成された複数のブレンド・ピクセル・セットの中から一つを選択するということがなく，生成するブレンド・ピクセル・セットを「候補」ブレンド・ピクセル・セットということもできない点で相違する。
（５）本願発明の構成要件Ｅと引用発明の構成要件１ｅとの対比
　上記（１）の検討を踏まえると，引用発明の「方法」は，上記（３），（４）において示した相違を除き，本願発明の「方法」に相当するものといえる。
（６）まとめ
　上記（１）から（５）までに示した対比結果に基づき，本願発明と引用発明との間の一致点と相違点をまとめると，以下のとおりである。
（一致点）
「入力ビデオの圧縮された表現を生成するビデオ圧縮方法であって：
（ａ）入力ビデオを時間的にパルスに分割する段階であって，各パルスは入力ビデオの少なくとも二つのフレームを含む，段階と，各パルスのあるフレームのある空間的なパーティションの各領域について，ブレンド・ピクセル・セットを生成する段階であって，該ブレンド・ピクセル・セットの少なくとも一つは入力ビデオの少なくとも二つのフレームから決定された時間的にブレンドされたピクセルおよび入力ビデオの少なくとも二つのフレームから決定された時間的および空間的にブレンドされたピクセルのうち少なくとも一つを含む，段階と；
（ｂ）各パルスについての空間的なパーティションの前記各領域について，前記ブレンド・ピクセル・セットを，圧縮された表現に含める段階とを含む，
方法。」
（相違点）
　ブレンド・ピクセル・セットを生成し，圧縮された表現に含めるに当たり，本願発明では，各領域に対し，「少なくとも二つの異なる候補」ブレンド・ピクセル・セットを生成してから，生成された複数の「候補」ブレンド・ピクセル・セット「の一つ」を「選択する」のに対し，引用発明では，異なるブレンド・ピクセル・セットを生成する処理のいずれを行うかを，事前に選択しているために，各ブロックに対し，一つのブレンド・ピクセル・セットが生成され，生成された複数のブレンド・ピクセル・セットの一つを選択するということがなく，また，それゆえ，このブレンド・ピクセル・セットを「候補」ブレンド・ピクセル・セットということもできない点
５　当審の判断
（１）引用発明は，異なるブレンド・ピクセル・セットを生成する複数の処理のうちいずれを行うかを，事前に選択しているために，各ブロックに対し，一つのブレンド・ピクセル・セットが生成される。それゆえ，引用発明は，本願発明のように，複数のブレンド・ピクセル・セットの候補を生成してから，事後に選択するというものではない。
　しかしながら，複数の処理候補が想定できる場合に，事前にどの処理が適切かを選択してから，当該適切な処理を行わせるのか，それとも，複数の処理を行っておき，事後に適切な処理がなされたものを選択するのかは，どのような回路構成で具体化するか等の観点から，当業者が適宜選択し得た設計的事項にすぎない。
　さらに，上記３（２−３）で示したように，ビデオ信号に対し，互いに異なる解像度の複数の処理を行っておき，適切な方の処理を選択して伝送することは，本願出願前における周知技術であったのであるから，事後に適切な処理であったものを選択することに困難性があったということも，技術的な阻害要因があるということもできない。
　そうすると，引用発明における，事前にどの処理が適切かを選択してから，当該適切な処理を行わせる構成に代え，複数の処理を行っておき，事後に適切な処理がなされたものを選択する構成を採用することは，当業者が容易に想到し得たことである。
　そして，そのような構成を採用することにより，各領域に対し，「少なくとも二つの異なる候補」ブレンド・ピクセル・セットを生成してから，生成された複数の「候補」ブレンド・ピクセル・セット「の一つ」を「選択する」という，上記（相違点）に係る構成に到達することになるから，本願発明は，引用発明を基に当業者が容易になし得たものといえる。
（２）また，本願発明の作用，効果も，引用発明から当業者が予測できる範囲のものである。
（３）したがって，本願発明は，引用発明に基づいて当業者が容易に発明をすることができたものである。
６　むすび
　以上のとおり，本願発明は，引用発明に基づいて当業者が容易に発明をすることができたものであるから，特許法第２９条第２項の規定により特許を受けることができない。
　したがって，その他の請求項に係る発明について検討するまでもなく，本願は拒絶されるべきものである。
　よって，結論のとおり審決する。